(57)【要約】  【課題】  アンカーボルト方式に代わるベースプレート方式の柱脚部材を提供する。即ち、基礎コンクリートの上面にレベル出し及び水平度出ししたベースプレートを用意でき、鉄骨柱脚の下端を直接ベースプレート上へ載置して建てることができる、露出型柱脚部材を提供する。  【解決手段】  基礎コンクリート中に設置される露出型柱脚部材において、前記露出型柱脚部材は、鉄骨柱の下端を載置して固定するベースプレートと、前記ベースプレートの下方に延び基礎コンクリート中に固定される脚部とからなり、前記脚部が捨てコンクリート上に設置した支持材によりベースプレートのレベル出し及び水平度を出して支持・固定される。【選択図】  図１
2006104804.tif 000002
【特許請求の範囲】
【請求項１】
基礎コンクリート中に設置される露出型柱脚部材において、
前記露出型柱脚部材は、鉄骨柱の下端を載置して固定するベースプレートと、前記ベースプレートの下方に延び基礎コンクリート中に固定される脚部とからなり、前記脚部が捨てコンクリート上に設置した支持材によりベースプレートのレベル出し及び水平度を出して支持・固定されることを特徴とする、露出型柱脚部材。
【請求項２】
ベースプレートと脚部とは鋳造により一体成形されていることを特徴とする、請求項１に記載した露出型柱脚部材。
【請求項３】
脚部は、ベースプレートの四隅位置の下方に設けられていることを特徴とする、請求項１又は２に記載した露出型柱脚部材。
【請求項４】
脚部は、下端部に抜け止め部が設けられていることを特徴とする、請求項１〜３のいずれか一に記載した露出型柱脚部材。
【請求項５】
脚部の外周面は、凹凸状又は溝形状に形成されていることを特徴とする、請求項１〜４のいずれか一に記載した露出型柱脚部材。
【請求項６】
脚部は、鉛直方向に中空部が貫通する筒状に形成され、前記中空部内にアンカーボルトが貫通して設けられ、同アンカーボルトの下端部には、打設する基礎コンクリートの中空部内への浸入防止を兼ねる定着板がナット等の固定具で固定され、同アンカーボルトの上端部はベースプレート上でナット等の固定具で固定されていることを特徴とする、請求項１〜５のいずれか一に記載した露出型柱脚部材。
【請求項７】
アンカーボルトを通した脚部の下端と定着板との間に弾性スペーサーが介在されていることを特徴とする、請求項６に記載した露出型柱脚部材。
【請求項８】
鉄骨柱は、ベースプレート上に、溶接等の接合手段で固定されることを特徴とする、請求項１〜７のいずれか一に記載した露出型柱脚部材。
【請求項９】
ベースプレート上には、鉄骨柱脚の側面と当接する溶接用の鉛直リブが設けられていることを特徴とする、請求項１〜８のいずれか一に記載した露出型柱脚部材。
【発明の詳細な説明】
【技術分野】
【０００１】
本発明は、鉄骨造または鉄骨鉄筋コンクリート造の柱脚部に使用される露出型柱脚部材の技術分野に属する。
【背景技術】
【０００２】
鉄骨造または鉄骨鉄筋コンクリート造の柱脚部に使用される露出型柱脚部材としては、基礎床面の利用空間が広くとれること、及び施工が比較的に簡易であることから、特に低階層建物等においてはアンカーボルト方式が広く実施されている。
【０００３】
このアンカーボルト方式は、基礎コンクリート中にアンカーボルトを埋め込み、鉄骨柱脚を固定する構成である（例えば、特許文献１〜６参照）。このアンカーボルト方式には、特許文献２〜５に開示されているように、アンカーボルトを所定の位置にセットし、かつ基礎コンクリートの打設によってアンカーボルトが移動しないように設置するアンカーフレームが使用されている。
【０００４】
また、鉄骨柱脚の下端のベースプレートは、打設した基礎コンクリートの上面にレベル出しの無収縮モルタルを載せ、同レベルモルタル上に当該ベースプレートを設置し、同ベースプレートに、アンカーボルトを通してナットで締め付け固定していた。
【０００５】
【特許文献１】特開昭６１−１３０５３６号公報
【特許文献２】特開平８−９２９６６号公報
【特許文献３】特開２００２−２５００３９号公報
【特許文献４】特開２００３−３４２９６０号公報
【特許文献５】特開平１０−８５５５号公報
【特許文献６】特開平１１−２８０１６３号公報
【発明の開示】
【発明が解決しようとする課題】
【０００６】
アンカーボルト方式の場合は、アンカーフレームを使用しても、長くて重い複数本のアンカーボルトを相互の関係を保って正確に位置決めすることが難しく、面倒な位置決め作業を要求されている。特に、アンカーフレームは、基礎コンクリート用鉄筋の配筋により制限されたスペース内に設置しなければならないので、一層面倒な作業になっており、使い勝手が良く、安価で、位置決め性能に優れたものはなかなか見当たらない。
【０００７】
また、前記アンカーボルト方式によると、鉄骨柱脚の下端のベースプレートは、基礎コンクリートを打設した後にレベル出し及び水平度を出して基礎コンクリート上に設置するため、レベルモルタルを充填するなどの作業をしなければならず、施工性及び経済性が悪く、改良の余地が残されていた。
【０００８】
本発明の目的は、アンカーボルト方式に代わるベースプレート方式の柱脚部材を提供することである。即ち、基礎コンクリートの上面にレベル出し及び水平度出ししたベースプレートを用意でき、鉄骨柱脚の下端を直接ベースプレート上へ載置して建てることができる、露出型柱脚部材を提供することである。
【課題を解決するための手段】
【０００９】
上述した従来技術の課題を解決するための手段として、請求項１に記載した発明に係る露出型柱脚部材は、
基礎コンクリート中に設置される露出型柱脚部材において、
前記露出型柱脚部材は、鉄骨柱の下端を載置して固定するベースプレートと、前記ベースプレートの下方に延び基礎コンクリート中に固定される脚部とからなり、前記脚部が捨てコンクリート上に設置した支持材によりベースプレートのレベル出し及び水平度を出して支持・固定されることを特徴とする。
【００１０】
請求項２に記載した発明は、請求項１に記載した露出型柱脚部材において、ベースプレートと脚部とは鋳造により一体成形されていることを特徴とする。
【００１１】
請求項３に記載した発明は、請求項１又は２に記載した露出型柱脚部材において、
脚部は、ベースプレートの四隅位置の下方に設けられていることを特徴とする。
【００１２】
請求項４に記載した発明は、請求項１〜３のいずれか一に記載した露出型柱脚部材において、脚部は、下端部に抜け止め部が設けられていることを特徴とする。
【００１３】
請求項５に記載した発明は、請求項１〜４のいずれか一に記載した露出型柱脚部材において、脚部の外周面は、凹凸状又は溝形状に形成されていることを特徴とする。
【００１４】
請求項６に記載した発明は、請求項１〜５のいずれか一に記載した露出型柱脚部材において、脚部は、鉛直方向に中空部が貫通する筒状に形成され、前記中空部内にアンカーボルトが貫通して設けられ、同アンカーボルトの下端部には、打設する基礎コンクリートの中空部内への浸入防止を兼ねる定着板がナット等の固定具で固定され、同アンカーボルトの上端部はベースプレート上でナット等の固定具で固定されていることを特徴とする。
【００１５】
請求項７に記載した発明は、請求項１〜６のいずれか一に記載した露出型柱脚部材において、アンカーボルトを通した脚部の下端と定着板との間に弾性スペーサーが介在されていることを特徴とする。
【００１６】
請求項８に記載した発明は、請求項１〜７のいずれか一に記載した露出型柱脚部材において、鉄骨柱は、ベースプレート上に、溶接等の接合手段で固定されることを特徴とする。
【００１７】
請求項９に記載した発明は、請求項１〜８のいずれか一に記載した露出型柱脚部材において、ベースプレート上には、鉄骨柱脚の側面と当接する溶接用の鉛直リブが設けられていることを特徴とする。
【発明の効果】
【００１８】
本発明に係る露出型柱脚部材によれば、基礎コンクリートの上面にレベル出し及び水平度出ししたベースプレートを用意でき、鉄骨柱の下端を直接ベースプレート上へ載置して建てることができる。従って、従来必須であった、打設した基礎コンクリートの上面にレベル出しの無収縮モルタルを載せ、同レベルモルタル上に当該ベースプレートを設置する等の作業工程を省略することができるので、施工性及び経済性に優れた鉄骨柱脚構造を実現することができる。
【発明を実施するための最良の形態】
【００１９】
本発明に係る露出型柱脚部材は、上述した発明の効果を奏するべく、以下のように実施される。
【００２０】
図１〜図３は、請求項１に記載した露出型柱脚部材を示している。
この露出型柱脚部材１は、基礎コンクリート１０中に設置される露出型柱脚部材１であり、鉄骨柱１２の下端を載置して固定するベースプレート２と、同ベースプレート２の下方に延び基礎コンクリート１０中に固定される脚部３とからなり、前記脚部３が捨てコンクリート１１上に設置した支持材４によりベースプレート２のレベル出し及び水平度を出して支持・固定される（請求項１記載の発明）。図示例の露出型柱脚部材１は、ベースプレート２と脚部３とが鋳造により一体成形して実施されている（請求項２記載の発明）。
【００２１】
また、本実施例に係る脚部３は、前記ベースプレート２の四隅位置の下方に計４本設けて実施されている（請求項３記載の発明）。前記脚部の下端部には、ボルト孔３ｂを有する取付部材３ａが溶接等の接合手段で取り付けられている。
【００２２】
前記露出型柱脚部材１を捨てコンクリート１１上に支持・固定する支持材４は、格別新規でなく、複数の鋼材から成る固定アングル４で実施されており、その下枠部は捨てコンアンカー５で捨てコンクリート１１に固定され、その上枠部は前記取付部材３の取り付け孔３ａにボルト７とナット８で固着されている。なお、前記露出型柱脚部材１を固定する支持材（固定アングル）４は、図１に示す所謂鉛直台座方式ほか、図４に示す所謂水平台座方式など、多くのバリエーションで実施可能である。
【００２３】
したがって、この露出型柱脚部材１によれば、ベースプレート２と脚部３とから成るシンプルな構成の所謂アンカーボルト方式に代わるベースプレート方式により、基礎コンクリート１０の上面にレベル出し及び水平度出ししたベースプレート２を用意でき、鉄骨柱の下端を直接ベースプレート２上へ載置して建てることができる。従って、従来必須であった、打設した基礎コンクリート１０の上面にレベル出しの無収縮モルタルを載せ、同レベルモルタル上に当該ベースプレート２を設置する作業工程を省略することができる。よって、施工性及び経済性に優れた鉄骨柱脚構造を実現することができる。
【００２４】
本実施例に係る脚部３は、さらに、鉛直方向に中空部３ｃが貫通する筒状に形成され、前記中空部３ｃ内にアンカーボルト６が貫通して設けられ、同アンカーボルト６の下端部には、打設する基礎コンクリート１０の中空部３ｃ内への浸入防止を兼ねる定着板９が介してナット１３等の固定具で固定され、同アンカーボルト６の上端部はベースプレート２上で（ダブル）ナット１４等の固定具で固定されている（請求項６記載の発明）。なお、前記ベースプレート２は四角形状で実施され、前記脚部３は円筒形状で実施されているが、形状は特に限定されない。
【００２５】
前記脚部３に形成した中空部３ｃの内径は、アンカーボルト６を通すために必要十分な大きさとされ、前記脚部３の長さは、同中空部３ｃ内に通すアンカーボルト６の大部分を覆う長さで実施されている。具体的には、アンカーボルト６がナット１３、１４で締め付けるのに必要な長さ突き出る程度で実施される。なお、当該アンカーボルト６の長さは、打設する基礎コンクリート１０の高さに応じて適宜設計変更されるのは勿論である。ちなみに、図示例のアンカーボルト６は、異形鉄筋等の鋼棒により形成され、その上端部及び下端部には所要長さにわたりネジ部が設けられている。
【００２６】
本発明に係る露出型柱脚部材１によれば、上述した効果に加え、定着板９による抜け止め効果は勿論のこと、前記アンカーボルト６には張力が導入されているので、水平荷重が作用しても当該アンカーボルト６に導入した張力の範囲内で引き抜き力に耐える剛性の高い構造を実現することができる。また、アンカーボルト６を所定の位置に簡単に精度よく設置することができ、前記脚部３の中空部３ｃ内にしっかり拘束され、配筋作業やコンクリート打設時に位置ずれを起こす虞が一切ないので、構造力学的に優れた鉄骨柱脚構造を実現できる。
【００２７】
なお、前記脚部３の本数は４本に限定されず、設置するアンカーボルト６の使用本数に応じて適宜増減され、前記ベースプレート２の外周に沿ってバランス良く配設して実施される。
【００２８】
前記露出型柱脚部材１を使用して施工する鉄骨柱脚構造は、図３に示したように、先ず、前記露出型柱脚部材１を、アンカーボルト６を配置する位置にその脚部３の中空部３ｃを一致させて捨てコンクリート１１上に固定する。前記中空部３ｃ内にアンカーボルト６を貫通して設け、同アンカーボルト６の下端部には、打設する基礎コンクリート１０の中空部内３ｃ内への浸入防止を兼ねる定着板９をナット１３等の固定具で締め付け固定し、同アンカーボルト６の上端部を、該アンカーボルト６に張力を導入するべく、ベースプレート２上で（ダブル）ナット１４等の固定具で締め付け固定する。続いて、前記露出型柱脚部材１の近傍位置に、立上り筋（図示省略）、はり主筋１５、フープ筋１６等の配筋作業を行い、前記露出型柱脚部材１のベースプレート２が露出するように基礎コンクリート１０を打設する。前記基礎コンクリート１０の養生後、前記ベースプレート２の上面に鉄骨柱脚１２を溶接等の接合手段で設置する（請求項８記載の発明）。
【００２９】
なお、本実施例に係る定着板９は、前記脚部３の下端と密着固定して実施しているがこれに限定されず、図５に示したように、アンカーボルト６を通した脚部３の下端と定着板９との間に弾性スペーサー１７を介在させて実施することもできる（請求項７記載の発明）。
【００３０】
この露出型柱脚部材１を使用して施工した鉄骨柱脚構造によれば、前記ベースプレート２を早期の段階で位置決め固定できるので、テンプレート等の仮設部材を一切不要とし、従来必須とされたレベルモルタルの形成等の作業工程を省略して、基礎コンクリート１０を前記ベースプレート２の直下位置（下面レベル）まで一度に打設して実施できるので、施工性が良い。
【００３１】
その他、配筋作業については、一般に、非常に複雑な配筋を施す必要があるが、露出型柱脚部材１の脚部３の存在により、露出型柱脚部材１を設置した段階でアンカーボルト６の設置位置を事前に把握することができ、アンカーボルト６を設置する以前（又は同時）にアンカーボルト位置と干渉することのない、フレキシブルでスムーズな配筋作業を行うこともできる。立上り筋やフープ筋１６等は、露出型柱脚部材１に予め取り付けておくことで、現地での配筋作業を一部省略することもでき、工期の短縮に貢献する。
【００３２】
以上に実施例を図１〜図５に基づいて説明したが、本発明は、図示例の実施形態の限りではなく、その技術的思想を逸脱しない範囲において、当業者が通常に行う設計変更、応用のバリエーションの範囲を含むことを念のために言及する。
【００３３】
例えば、図示は省略するが、露出型柱脚部材１と基礎コンクリート１０との付着を更に向上させるべく、同露出型柱脚部材１の脚部３の外周面を凹凸状又は溝形状に形成して実施することもできるし（請求項５記載の発明）、露出型柱脚部材１の脚部３の下端部を抜け止め部を形成して実施することもできる（請求項４記載の発明）。
【００３４】
また、前記鉄骨柱脚１２は、前記ベースプレート２に対して全周溶接して建て込む必要はなく、前記ベースプレート２上に鉄骨柱脚１２の側面と当接する鉛直リブを一体成形する等して設けることにより、前記鉄骨柱脚１２と当該鉛直リブのみを溶接する方法で建て込むこともできる（請求項９記載の発明）。この方法は、前記鉛直リブを極降伏点鋼で実施する場合には、鉄骨柱脚に作用する曲げモーメントを効率的に吸収することができ、耐震性能を高めた鉄骨柱脚構造を実現できる等のメリットがある。その他、図６に示したように、台座１２ａを備えた鉄骨柱脚１２を露出型柱脚部材１にダブルナット１４で固定して実施することもできる。
【図面の簡単な説明】
【００３５】
【図１】本発明に係る露出型柱脚部材を捨てコンクリート上に設置した状態を示した立面図である。
【図２】Ａは、本発明に係る露出型柱脚部材を示した平面図であり、Ｂは、同正面図である。
【図３】本発明に係る露出型柱脚部材を使用した鉄骨柱脚構造を示した立面図である。
【図４】本発明に係る露出型柱脚部材のバリエーションを示した立面図である。
【図５】本発明に係る露出型柱脚部材を使用した鉄骨柱脚構造のバリエーションを示した立面図である。
【図６】本発明に係る露出型柱脚部材を使用した鉄骨柱脚構造のバリエーションを示した立面図である。
【符号の説明】
【００３６】
１      露出型柱脚部材
２      ベースプレート
３      脚部
３ａ    取付部材
３ｂ    ボルト孔
３ｃ    中空部
４      フレーム材
５      捨てコンアンカー
６      アンカーボルト
７      ボルト
８      ナット
９      定着板
１０      基礎コンクリート
１１      捨てコンクリート
１２      柱脚
１２ａ    台座
１３      ナット
１４      ダブルナット
１５      はり主筋
１６      フープ筋
１７      弾性スペーサー
【図１】
2006104804.tif 000003
【図２】
2006104804.tif 000004
【図３】
2006104804.tif 000005
【図４】
2006104804.tif 000006
【図５】
2006104804.tif 000007
【図６】
2006104804.tif 000008